(57)【要約】【課題】本発明は、遮光部材を、簡単な構成で低コストで製作できるとともに、レンズ鏡筒全体の光軸方向の長さが長くなるのを抑えることができるレンズ鏡筒の提供を目的とする。【解決手段】レンズ保持枠と、遮光部材５と、カム筒とを備える。遮光部材５は、レンズ保持枠に軸方向に移動可能且つ回転不能に連結した連結部５５ａ〜５５ｃと、遮光部材用カムフォロア６とを備える。カム筒は、遮光部材用カムフォロア６と相対移動可能に係合した遮光部材用カム溝を備える。又、遮光部材用カム溝は、カム筒の回転に伴い遮光部材５がレンズ保持枠に対する距離を変えながら軸方向に移動し得るように構成されている。【選択図】図１４
2014048451.tif 000002
【特許請求の範囲】
【請求項１】
１又は複数のレンズを有するレンズ群を保持するレンズ保持枠と、前記レンズ保持枠と係合した保持枠用カム溝を有する回転可能なカム筒とを備え、前記カム筒の回転に伴い前記レンズ保持枠が軸方向に移動して光軸方向に移動できるようにしたレンズ鏡筒であって、
前記レンズ保持枠に保持された前記レンズ群に入る光束を調整する遮光部材を備え、
前記遮光部材は、前記レンズ保持枠に軸方向に移動可能且つ回転不能に連結した連結部と、外周に突設された遮光部材用カムフォロアとを備え、
前記カム筒は、前記遮光部材用カムフォロアと相対移動可能に係合した遮光部材用カム溝を、更に備え、
前記遮光部材用カム溝は、前記カム筒の回転に伴い前記遮光部材が前記レンズ保持枠に対する距離を変えながら前記軸方向に移動し得るように構成されていることを特徴とするレンズ鏡筒。
【請求項２】
前記連結部は、複数個であり、
前記複数個の連結部は、前記遮光部材の周方向に沿って配設されていることを特徴とする請求項１記載のレンズ鏡筒。
【請求項３】
前記レンズ保持枠は、前記複数個の連結部のそれぞれが嵌挿された連結溝を備え、
前記複数個の内のいずれか１つの連結部は、前記連結溝との嵌挿状態での両者間のクリアランスが前記連結溝と前記いずれか１つ以外の他の連結部と前記連結溝との嵌挿状態での両者間のクリアランスよりも小さくなるように構成されていることを特徴とする請求項２記載のレンズ鏡筒。
【請求項４】
前記レンズ保持枠は、前記保持枠用カム溝と相対移動可能に係合した保持枠用カムフォロアを備え、
前記遮光部材用カムフォロアは、前記連結部によって前記遮光部材とレンズ保持枠とが連結された状態において、前記保持枠用カムフォロアと前記軸方向に並ぶように配設されていることを特徴とする請求項１〜３の何れか一項に記載のレンズ鏡筒。
【請求項５】
前記レンズ保持枠は、前記遮光部材と対向する軸方向の端面に、前記遮光部材の一部を受容する受容部を備え、
前記受容部は、前記端面から軸方向に所定深さで凹まされるように形成されていることを特徴とする請求項１〜４の何れか一項に記載のレンズ鏡筒。
【請求項６】
前記遮光部材は、遮光部材本体を備え、
前記遮光部材本体は、前記レンズ保持枠の軸方向の一方側に配設された円板部を備え、
前記連結部は、前記遮光部材本体から軸方向の他方側に突出するように形成され、
前記遮光部材用カムフォロアは、前記連結部から径方向外側に突出するように形成され、
前記遮光部材本体と前記連結部と前記遮光部材用カムフォロアとは、一体成形によって形成されていることを特徴とする請求項１〜５の何れか一項に記載のレンズ鏡筒。
【発明の詳細な説明】
【技術分野】
【０００１】
本発明は、スチールカメラやビデオカメラ等に用いられるレンズ鏡筒に関するものである。
【背景技術】
【０００２】
従来から、スチールカメラやビデオカメラ等に用いられるレンズ鏡筒は広く知られている。例えば特許文献１には、レンズ群に不要な光を遮って鮮明な結像を得ることができるようにしたフレアーカッター機構を有するレンズ鏡筒が開示されている。
【０００３】
この特許文献１に開示されたフレアーカッター機構は、開口径調整可能なフレアカッター羽根を備え、フォーカスレンズ群と一体に前後方向に移動可能とされている。
【先行技術文献】
【特許文献】
【０００４】
【特許文献１】特開２０００−８１５５６号公報
【発明の概要】
【発明が解決しようとする課題】
【０００５】
しかしながら、特許文献１に開示のフレアーカッター機構では、開口径を調整するフレアカッター羽根を必要とし、そのため、構成が複雑化しているとともに、製作コストが高くついてしまう。又、フレアーカッター機構の光軸方向の厚さが厚くなってしまい、レンズ鏡筒にその厚さが厚くなったフレアーカッター機構を収納するためのスペースを必要とし、その結果、フレアーカッター機構のためにレンズ鏡筒全体の光軸方向の長さが長くなってしまう。
【０００６】
本発明は、遮光部材を、簡単な構成で低コストで製作できるとともに、レンズ鏡筒全体の光軸方向の長さが長くなるのを抑えることができるレンズ鏡筒の提供を目的とする。
【課題を解決するための手段】
【０００７】
上記課題を解決するため、本発明のレンズ鏡筒は、１又は複数のレンズを有するレンズ群を保持するレンズ保持枠と、前記レンズ保持枠と係合した保持枠用カム溝を有する回転可能なカム筒とを備え、前記カム筒の回転に伴い前記レンズ保持枠が軸方向に移動して光軸方向に移動できるようにしたレンズ鏡筒であって、前記レンズ保持枠に保持された前記レンズ群に入る光束を調整する遮光部材を備え、前記遮光部材は、前記レンズ保持枠に軸方向に移動可能且つ回転不能に連結した連結部と、外周に突設された遮光部材用カムフォロアとを備え、前記カム筒は、前記遮光部材用カムフォロアと相対移動可能に係合した遮光部材用カム溝を、更に備え、前記遮光部材用カム溝は、前記カム筒の回転に伴い前記遮光部材が前記レンズ保持枠に対する距離を変えながら前記軸方向に移動し得るように構成されていることを特徴とする。
【０００８】
この構成によれば、カム筒の回転に伴ってレンズ保持枠は保持枠用カム溝を相対移動して光軸方向に移動するとともに、遮光部材は、遮光部材用カム溝を相対移動する。
【０００９】
また、その際、遮光部材は、連結部によってレンズ保持枠に軸方向に移動可能且つ回転不能に連結しているため、遮光部材は、遮光部材用カム溝の相対移動に際してレンズ保持枠と同方向の光軸方向に移動する。又、遮光部材用カム溝は、カム筒の回転に伴い遮光部材がレンズ保持枠に対する距離を変えながら軸方向に移動し得るように構成されている。このため、レンズ保持枠に保持されたレンズ群の位置に応じて遮光部材がレンズ群に対して接近し、或いは離れることができ、レンズ群の位置に応じてレンズ群に入る光束を調整してレンズ群に入る不要な光を遮ることができる。
【００１０】
従って、遮光部材は、開口径を調整するフレアカッター羽根等を設ける必要がなく、簡単な構成で低コストで製作できるとともに、レンズ鏡筒全体の光軸方向の長さが長くなるのを抑えることができる。
【００１１】
他の一態様では、前記レンズ鏡筒において、前記連結部は、複数個であり、前記複数個の連結部は、前記遮光部材の周方向に沿って配設されていることを特徴とする。
【００１２】
この構成によれば、カム筒の回転に伴って、遮光部材を、確実に、レンズ保持枠に対して回転することなく軸方向に移動できる。
【００１３】
他の一態様では、前述のいずれかのレンズ鏡筒において、前記レンズ保持枠は、前記複数個の連結部のそれぞれが嵌挿された連結溝を備え、前記複数個の内のいずれか１つの連結部は、前記連結溝との嵌挿状態での両者間のクリアランスが前記連結溝と前記いずれか１つ以外の他の連結部と前記連結溝との嵌挿状態での両者間のクリアランスよりも小さくなるように構成されていることを特徴とする。
【００１４】
この構成によれば、嵌挿状態でのクリアランスが小さい１つの連結部と連結溝とによって、確実に、遮光部材がレンズ保持枠に対して回転することなく軸方向に移動できる一方、連結部全体が嵌挿した連結溝と過拘束になるのを抑えることができ、遮光部材がレンズ保持枠に対して円滑に移動できる。
【００１５】
他の一態様では、前述のいずれかのレンズ鏡筒において、前記レンズ保持枠は、前記保持枠用カム溝と相対移動可能に係合した保持枠用カムフォロアを備え、前記遮光部材用カムフォロアは、前記連結部によって前記遮光部材とレンズ保持枠とが連結された状態において、前記保持枠用カムフォロアと前記軸方向に並ぶように配設されていることを特徴とする。
【００１６】
この構成によれば、カム筒の回転に伴って保持枠用カムフォロアと遮光部材用カムフォロアとがほぼ同時に駆動力を受けて移動でき、レンズ保持枠と遮光部材とを高精度に連動できる。
【００１７】
他の一態様では、前述のいずれかのレンズ鏡筒において、前記レンズ保持枠は、前記遮光部材と対向する軸方向の端面に、前記遮光部材の一部を受容する受容部を備え、前記受容部は、前記端面から軸方向に所定深さで凹まされるように形成されていることを特徴とする。
【００１８】
この構成によれば、レンズ保持枠と遮光部材との光軸方向の長さ（厚さ）を短くでき、レンズ鏡筒全体の光軸方向の長さを、より一層抑えることができる。
【００１９】
他の一態様では、前述のいずれかのレンズ鏡筒において、前記遮光部材は、遮光部材本体を備え、前記遮光部材本体は、前記レンズ保持枠の軸方向の一方側に配設された円板部を備え、前記連結部は、前記遮光部材本体から軸方向の他方側に突出するように形成され、前記遮光部材用カムフォロアは、前記連結部から径方向外側に突出するように形成され、前記遮光部材本体と前記連結部と前記遮光部材用カムフォロアとは、一体成形によって形成されていることを特徴とする。
【００２０】
この構成によれば、遮光部材本体と連結部と遮光部材用カムフォロアとを、同じ材料で同時に形成でき、低コストで製作できる。
【発明の効果】
【００２１】
本発明のレンズ鏡筒は、遮光部材を、簡単な構成で低コストで製作できるとともに、レンズ鏡筒全体の光軸方向の長さが長くなるのを抑えることができる。
【図面の簡単な説明】
【００２２】
【図１】本発明のレンズ鏡筒の一実施形態の断面図である。
【図２】図１の要部の分解斜視図である。
【図３】図１のＩＩＩ−ＩＩＩ線拡大断面図である。
【図４】図１のＩＶ−ＩＶ線拡大断面図である。
【図５】図１の要部の拡大図である。
【図６】図１で示したレンズ鏡筒に用いられるカム筒の拡大した斜視図である。
【図７】カム筒の内周面を展開状態にして表した説明図である。
【図８】図１で示したレンズ鏡筒に用いられる第１レンズ保持枠の拡大斜視図である。
【図９】（ａ）は、図１で示したレンズ鏡筒に用いられる保持枠用カムフォロアを組み付けた状態の第１レンズ保持枠の前方側から見た斜視図、（ｂ）は、その正面図、（ｃ）は、その後方側から見た斜視図である。
【図１０】（ａ）は、図１で示したレンズ鏡筒に用いられるガイド軸に支持された状態の第１レンズ保持枠の前方側から見た斜視図、（ｂ）は、その正面図、（ｃ）は、その後方側から見た斜視図である。
【図１１】図１で示したレンズ鏡筒に用いられる第２レンズ保持枠の拡大斜視図である。
【図１２】（ａ）は、第１レンズ保持枠と第２レンズ保持枠との非当接状態の前方側から見た斜視図、（ｂ）は、その非当接状態の後方側から見た斜視図である。
【図１３】（ａ）は、第１レンズ保持枠と第２レンズ保持枠との当接状態の側面図、（ｂ）は、その前方側から見た斜視図、（ｃ）は、図１３（ｂ）と異なる角度の前方側から見た斜視図である。
【図１４】図１で示したレンズ鏡筒に用いられる遮光部材の斜視図である。
【図１５】遮光部材、第１レンズ保持枠及び第２レンズ保持枠がそれぞれ導入溝に入った状態の断面図である。
【図１６】図１５の状態から、カム筒の回転によって遮光部材、第１レンズ保持枠及び第２レンズ保持枠がそれぞれ前方側に移動した状態の断面図である。
【図１７】遮光部材と第１レンズ保持枠と第２レンズ保持枠とのそれぞれの移動軌跡を表した説明図である。
【発明を実施するための形態】
【００２３】
以下、本発明を実施するための形態について、図面を参照しながら詳細に説明する。図１は、本発明のレンズ鏡筒の一実施の形態の断面図、図２は、図１の要部の分解斜視図、図３は、図１のＩＩＩ−ＩＩＩ線拡大断面図である。又、図４は、図１のＩＶ−ＩＶ線拡大断面図、図５は、図１の要部の拡大図、図６は、カム筒の拡大した斜視図である。尚、図１、図２、図５〜図２０のＸ方向を前方側とし、Ｙ方向を後方側として説明する。
【００２４】
本実施形態のレンズ鏡筒１０は、鏡筒本体１と、カム筒２と、第１レンズ保持枠３１〜第７レンズ保持枠３７と、第１レンズ保持枠３１及び第２レンズ保持枠３２に保持された保持枠用カムフォロア４と、遮光部材５と、遮光部材５に保持された遮光部材用カムフォロア６とを備えている。
【００２５】
鏡筒本体１は、内部に、円筒状の固定筒１１と、固定筒１１の内周側に配設されたガイド軸１２ａ、１２ｂとを備えている。固定筒１１の軸心は、光軸Ｏに一致するように設定されている。
【００２６】
ガイド軸１２ａ、１２ｂは、この実施形態では、第１ガイド軸１２ａと、第１ガイド軸１２ａと固定筒１１の周方向に距離をもって配設された第２ガイド軸１２ｂとを備えている。これらの第１ガイド軸１２ａ及び第２ガイド軸１２ｂは、同構成を採っており、それぞれは、軸方向が光軸Ｏの方向に沿って延ばされようにして固定筒１１に固定的に保持されている。
【００２７】
又、鏡筒本体１は、固定筒１１の外周側に、固定筒１１に対して回転自在に配設された円筒状のカム操作環１５を備えている。又、鏡筒本体１は、後端側（像側）に、マウント１３を備え、このマウント１３を介して、図示しないカメラ本体に装着される。尚、この実施形態では、鏡筒本体１の前端側（物体側）に、筒状のフード１４が着脱自在に取り付けられている。
【００２８】
カム筒２は、図６に示すように、円筒体からなる。このカム筒２は、その内周面に、その内周面から径方向外側に所定の深さでカットされて所定の方向に沿って凹まされるように形成された長溝状のカム溝２１〜２４を備えている。
【００２９】
この実施形態のカム溝は、図７に示すように保持枠用カム溝２１、２２と、遮光部材用カム溝２３と、組み込み用溝２４とを備えている。この実施形態では、保持枠用カム溝２１、２２と遮光部材用カム溝２３と組み込み用溝２４とは、カム筒２の内周面に、周方向（Ｚ−Ｗ方向）に３つずつ配設されている。
【００３０】
各保持枠用カム溝は、第１保持枠用カム溝２１と、第２保持枠用カム溝２２との２つから構成されている。又、第１保持枠用カム溝２１は、保持枠用カムフォロア４の先端部が撮影時に相対移動する第１カム溝用撮影領域溝２１ａと、第１カム溝用撮影領域溝２１ａの始端側（一方端側）に配設された第１カム溝用導入溝２１ｂとを備えている。
【００３１】
これらの第１カム溝用撮影領域溝２１ａ及び第１カム溝用導入溝２１ｂは、図３〜図５に示すように径方向外側に漸次幅狭になる断面台形状に形成されている。
【００３２】
第２保持枠用カム溝２２は、図７に示すように、第１保持枠用カム溝２１と同様に、後述の保持枠用カムフォロア４の先端部が撮影時に相対移動する第２カム溝用撮影領域溝２２ａと、第２カム溝用撮影領域溝２２ａの始端側に配設された第２カム溝用導入溝２２ｂとを備えている。
【００３３】
又、この第２カム溝用導入溝２２ｂは、幅広部２２ｃと、幅広部２２ｃと第２カム溝用撮影領域溝２２ａとの間に配設されたテーパー部２２ｄとを備えている。
【００３４】
幅広部２２ｃは、溝幅が第２カム溝用撮影領域溝２２ａの溝幅より広く形成されている。テーパー部２２ｄは、幅広部２２ｃから第２カム溝用撮影領域溝２２ａにかけて漸次溝幅が狭くなるように形成されている。
【００３５】
各遮光部材用カム溝２３は、遮光部材用カムフォロア６の先端部が撮影時に相対移動する遮光部材用撮影領域溝２３ａと、遮光部材用撮影領域溝２３ａの始端側に配設された遮光部材用導入溝２３ｂとを備えている。
【００３６】
遮光部材用撮影領域溝２３ａは、その始端から終端に向かうに従い、第１保持枠用カム溝２１の第２カム溝用撮影領域溝２２ａとのカム筒２の軸方向（前後方向、図のＸ−Ｙ方向）の距離が変化するように形成されている。
【００３７】
詳しくは、遮光部材用撮影領域溝２３ａと第２カム溝用撮影領域溝２２ａとの互いの長手方向の中間部で軸方向の距離Ｌ１１が最大になり、互いの長手方向の端部同士の軸方向の距離Ｌ１２、Ｌ１３が前記距離Ｌ１１より小さくなっている。
【００３８】
又、これらの遮光部材用撮影領域溝２３ａ及び遮光部材用導入溝２３ｂも、図３、図５に示すように径方向外側に漸次幅狭になる台形状に形成されている。又、遮光部材用撮影領域溝２３ａ及び遮光部材用導入溝２３ｂは、第１保持枠用カム溝２１よりも幅狭に形成されている。
【００３９】
組み込み用溝２４は、保持枠用組み込み溝２４ａと、遮光部材用組み込み溝２４ｂとを備えている。
【００４０】
保持枠用組み込み用溝２４ａは、カム筒２の後端面２ａに開口２４ｃを備えている。そして、保持枠用組み込み溝２４ａは、開口２４ｃからカム筒２の軸方向に延ばされ、第２保持枠用カム溝２２の第２カム溝用導入溝２２ｂ及び第１保持枠用カム溝２１の第１カム溝用導入溝２１ｂと連通している。
【００４１】
また、この保持枠用組み込み溝２４ａの溝幅は、第１保持枠用カム溝２１の第１カム溝用導入溝２１ｂの溝幅と同程度に設定されている。
【００４２】
遮光部材用組み込み溝２４ｂは、保持枠用組み込み溝２４ａから遮光部材用導入溝２３ｂまで軸方向に延ばされ、遮光部材用カム溝２３の遮光部材用導入溝２３ｂと連通している。
【００４３】
この遮光部材用組み込み溝２４ｂの溝幅は、保持枠用組み込み溝２４ａの溝幅よりも狭く、保持枠用カムフォロア４が入り込めないように形成されている。
【００４４】
このように構成されたカム筒２は、図１に示すように固定筒１１の内周側であって、ガイド軸１２ａ、１２ｂの径方向外側に、固定筒１１に対して回転自在に配設されている。又、カム筒２は、カム操作環１５と連動ピン１６によって回転不能に連結され、カム操作環１５の回転操作によってカム筒２が共に回転するようになっている。
【００４５】
次に、レンズ保持枠３１〜３７について説明する。レンズ保持枠は、レンズ群１００を保持するもので、この実施形態では、第１レンズ保持枠３１〜第７レンズ保持枠３７までの７つを備えている。尚、第１レンズ保持枠３１〜第７レンズ保持枠３７に保持されるレンズ群１００は、１又は複数のレンズを有する。
【００４６】
第１レンズ保持枠３１は、図８に示すように、略円筒状のものから構成され、内周側にレンズ群１００を保持するレンズ保持部３１ｆを備えている。
【００４７】
又、第１レンズ保持枠３１は、図３に示すように、その外周側に、保持枠用カムフォロア４を保持するカムフォロア保持部７ａ、７ｂを備えている。
【００４８】
カムフォロア保持部は、第１レンズ保持枠３１の周方向に沿って略等間隔に配設された１つのメインカムフォロア保持部７ａと２つのサブカムフォロア保持部７ｂとを備えている。
【００４９】
メインカムフォロア保持部７ａは、この実施形態では、図３の左下方側に配設されており、円筒状のものからなり、内部に保持枠用カムフォロア４の基端部を第１レンズ保持枠３１（カム筒２）の径方向に移動可能に収納したメインカムフォロア収納部７１ａと、メインカムフォロア収納部７１ａに収納された保持枠用カムフォロア４を付勢した付勢部材としてのコイルバネ７１ｂとを備えている。
【００５０】
コイルバネ７１ｂは、メインカムフォロア収納部７１ａに保持枠用カムフォロア４の基端部と共に収納され、保持枠用カムフォロア４を第１レンズ保持枠３１の径方向外側に付勢している。
【００５１】
サブカムフォロア保持部７ｂは、メインカムフォロア保持部７ａと同様に、円筒状のものからなり、内部に保持枠用カムフォロア４の基端部を収納したサブカムフォロア収納部７２ａを備えている。
【００５２】
ただし、このサブカムフォロア収納部７２ａは、保持枠用カムフォロア４の基端部のみを収納し、メインカムフォロア収納部７１ａのようにコイルバネ７１ｂは収納されていない。従って、このサブカムフォロア収納部７２ａに収納された保持枠用カムフォロア４は、第１レンズ保持枠３１の径方向外側に付勢されていない。
【００５３】
ここで、メインカムフォロア保持部７ａ、サブカムフォロア保持部７ｂのそれぞれに保持された保持枠用カムフォロア４について説明する。保持枠用カムフォロア４は、第１レンズ保持枠３１に係合された３個と、第２レンズ保持枠３２に係合された３個との合計６個を備えている。
【００５４】
これらは、全部、同一構成を採っており、各保持枠用カムフォロア４は、略円柱状を呈しており、図３〜図５に示すように、先端部に、保持枠用カム溝２１、２２に係合するカム溝係合部４１を備えている。カム溝係合部４１は、先端に行くに従い漸次径小になる円錐台状に形成されている。
【００５５】
又、各保持枠用カムフォロア４は、基端に、嵌挿部４２を備えている。そして、この嵌挿部４２が、サブカムフォロア保持部７ｂに設けられた嵌挿孔７３に、サブカムフォロア収納部７２ａ側から嵌挿されることにより、サブカムフォロア保持部７ｂに保持枠用カムフォロア４が保持されている。
【００５６】
又、同様に、保持枠用カムフォロア４の嵌挿部４２が、メインカムフォロア保持部７ａに設けられた嵌挿孔７３に、メインカムフォロア収納部７１ａ側から嵌挿されることにより、メインカムフォロア保持部７ａに保持枠用カムフォロア４が保持されている。又、この状態で、保持枠用カムフォロア４は、メインカムフォロア保持部７ａに第１レンズ保持枠３１の径方向に移動可能とされている。
【００５７】
又、メインカムフォロア保持部７ａに保持された保持枠用カムフォロア４は、メインカムフォロア収納部７１ａに収納されたコイルバネ７１ｂによって第１レンズ保持枠３１の径方向外側に付勢されている。
【００５８】
図８に戻って、第１レンズ保持枠３１の説明を続ける。第１レンズ保持枠３１は、外周部にガイド軸１２ａ、１２ｂに支持される被支持部３１ａ、３１ｂを備えている。この実施形態の被支持部は、第２ガイド軸１２ａに支持されたメイン被支持部３１ａ（図８の下方側に表れているもの）と、第１ガイド軸１２ｂに支持されたサブ被支持部３１ｂ（図８の上方側に表れているもの）とを備えている。
【００５９】
メイン被支持部３１ａは、この実施形態では、第１レンズ保持枠３１に設けられた円板部３１ｃの前面から後方側に所定の長さで、円板部３１ｃの径方向外側部に筒状に突出するように形成されており、第２ガイド軸１２ｂが嵌挿するガイド軸嵌挿孔３１ｄを備えている。
【００６０】
又、このメイン被支持部３１ａは、図３に示すように、メインカムフォロア保持部７ａとサブカムフォロア保持部７ｂとの間におけるメインカムフォロア保持部７ａの近傍に配設されており、メインカムフォロア保持部７ａとの周方向のピッチ距離Ｌ２１が隣接するサブカムフォロア保持部７ｂとの周方向のピッチ距離Ｌ２２よりも短くなる位置とされている。
【００６１】
サブ被支持部３１ｂは、図８、図９に示すように第１ガイド軸１２ａが挿通するガイド軸嵌挿孔３１ｅを備えている。このガイド軸嵌挿孔３１ｅは、円板部３１ｃの前面から後面に貫通されるように形成されている。従って、このサブ被支持部３１ｂの軸方向の長さＬ３２（図９（ａ）に図示）は、メイン被支持部３１ａの軸方向の長さＬ３１（図８に図示）よりも短い。
【００６２】
又、この実施形態のガイド軸嵌挿孔３１ｅは、円板部３１ｃの周方向に対する距離が第１ガイド軸１２ａの直径と略同じで、円板部３１ｃの径方向に対する長さが第１ガイド軸１２ａの直径よりも長い長穴状に形成されている。
【００６３】
又、第１レンズ保持枠３１は、メインカムフォロア保持部７ａ及びサブカムフォロア保持部７ｂの後部側に、第２レンズ保持枠３２と当接する第１レンズ保持枠用当接部３１ｈを備えている。
【００６４】
又、第１レンズ保持枠３１は、外周部に、遮光部材５と連結するための連結溝３１ｉと、後述の遮光部材５の一部である連結部支持片５４を受容する受容部３１ｊとを備えている。
【００６５】
連結溝３１ｉは、第１レンズ保持枠３１の周方向に等間隔で配設された３つを備えている。この実施形態では、連結溝３１ｉは、メインカムフォロア保持部７ａ、サブカムフォロア保持部７ｂそれぞれの前方側に配設され、所定の幅で外周面から所定の深さで第１レンズ保持枠３１の径方向内側に凹まされるようにして形成されている。
【００６６】
受容部３１ｊは、連結溝３１ｉと同幅で、円板部３１ｃの前面から所定の深さで後方側に凹まされるようにして連結溝３１ｉそれぞれと連通するように形成されている。
【００６７】
このように構成された第１レンズ保持枠３１は、保持枠用カムフォロア４を保持した状態で、図１０に示すようにサブ被支持部３１ｂのガイド軸嵌挿孔３１ｄに第１ガイド軸１２ａが挿通されるとともに、メイン被支持部３１ａのガイド軸嵌挿孔３１ｅに第２ガイド軸１２ｂが挿通されるようにして第２ガイド軸１２ｂと第１ガイド軸１２ａとに支持されて、図１に示すようにカム筒２の内周側に軸方向に移動可能に配設されている。又、その状態で、保持枠用カムフォロア４がそれぞれ、第１保持枠用カム溝２１のそれぞれに入り込んでいる。
【００６８】
又、この状態で、図３に示すように、メインカムフォロア保持部７ａに保持された保持枠用カムフォロア４は、コイルバネ７１ｂの付勢力によって、カム溝係合部４１が第１保持枠用カム溝２１の内側面に押し当てられた状態になっている。一方、サブカムフォロア保持部７ｂに保持された保持枠用カムフォロア４は、カム溝係合部４１が第１保持枠用カム溝２１の内側面に非当接状態になって、カム溝係合部４１と第１保持枠用カム溝２１の内側面との間にクリアランスができている。
【００６９】
次に、第２レンズ保持枠３２について説明する。第２レンズ保持枠３２は、図１１に示すように、内周側にレンズ群を保持するレンズ保持部３２ｆを備えている。又、第２レンズ保持枠３２は、第１レンズ保持枠３１と同様に、その外周側に、保持枠用カムフォロアを保持するカムフォロア保持部８ａ、８ｂを備えている。
【００７０】
第２レンズ保持枠３２のカムフォロア保持部は、図４、図８に示すように第２レンズ保持枠３２の周方向に沿って略等間隔に配設された１つのメインカムフォロア保持部８ａ（図４の上部側に表れている）及び２つのサブカムフォロア保持部８ｂとを備えている。
【００７１】
これらのメインカムフォロア保持部８ａ及びサブカムフォロア保持部８ｂは、第１レンズ保持枠３１のメインカムフォロア保持部７ａ、サブカムフォロア保持部７ｂのそれぞれと略同構成を採っている。
【００７２】
詳しくは、メインカムフォロア保持部８ａは、図４に示すように内部に保持枠用カムフォロア４の基端部を第２レンズ保持枠３２の径方向に移動可能に収納したメインカムフォロア収納部８１ａと、コイルバネ８１ｂとを備えている。
【００７３】
サブカムフォロア保持部８ｂは、内部に保持枠用カムフォロア４の基端部だけを収納したサブカムフォロア収納部８２を備えている。
【００７４】
そして、これらのメインカムフォロア保持部８ａ及びサブカムフォロア保持部８ｂに、保持枠用カムフォロア４が、第１レンズ保持枠３１のカムフォロア保持部７ａ、７ｂと同様にして保持されている。
【００７５】
又、第２レンズ保持枠３２は、外周部におけるメインカムフォロア保持部８ａとサブカムフォロア保持部８ｂとの間に、ガイド軸１２ａ、１２ｂに支持される被支持部３２ａ、３２ｂを備えている。この第２レンズ保持枠３２における被支持部は、第１ガイド軸１２ａに支持されたメイン被支持部３２ａと、第２ガイド軸１２ｂに支持されたサブ被支持部３２ｂとを備えている。
【００７６】
メイン被支持部３２ａは、図１１に示すように第２レンズ保持枠３２の径方向外側部に、第２レンズ保持枠３２の前面から前方側に所定の長さで突出した突出部を有する筒状に形成されており、第１ガイド軸１２ａが嵌挿するガイド軸嵌挿孔３２ｄを備えている。
【００７７】
又、このメイン被支持部３２ａは、図４に示すようにメインカムフォロア保持部８ａとの周方向のピッチ距離Ｌ４１が隣接するサブカムフォロア保持部８ｂとの周方向のピッチ距離Ｌ４２よりも短くなる位置とされ、メインカムフォロア保持部８ａの近傍に配設されている。
【００７８】
サブ被支持部３２ｂは、図１１に示すように、第２ガイド軸１２ｂが挿通するガイド軸嵌挿孔３２ｅを有する筒体から構成されている。このサブ被支持部３２ｂの軸方向の長さＬ３４は、メイン被支持部４１ａの軸方向の長さＬ３３よりも短く形成されている。
【００７９】
又、この実施形態のガイド軸嵌挿孔３２ｅは、図示しないが、第２レンズ保持枠３２の周方向の距離が第２ガイド軸１２ｂの直径と略同じで、第２レンズ保持枠３２の径方向の長さが第２ガイド軸１２ｂの直径よりも長い長穴状に形成されている。
【００８０】
又、第２レンズ保持枠３２は、図１１〜図１３に示すようにメインカムフォロア保持部８ａ及びサブカムフォロア保持部８ｂの前部側に、第１レンズ保持枠３１の第１レンズ保持枠用当接部３１ｈと当接する第２レンズ保持枠用当接部３２ｈを備えている。
【００８１】
これらの第２レンズ保持枠用当接部３２ｈは、第１レンズ保持枠用当接部３１ｈに当接した状態で、図１３に示すように第２レンズ保持枠３２と第１レンズ保持枠３１との夫々に保持された保持枠用カムフォロア同士のピッチ距離Ｌ５１が、カム筒２における第１保持枠用カム溝２１の第１カム溝用導入溝２１ｂと第２保持枠用カム溝２２の第２カム溝用導入溝２２ｂとのピッチ距離Ｌ５２（図７に示す）とが同じになるように設定されている。
【００８２】
そして、図４に示すように第１レンズ保持枠３１と同様に、メインカムフォロア保持部８ａに設けられた嵌挿孔８３に、保持枠用カムフォロア４の嵌挿部４２が嵌挿されることにより、保持枠用カムフォロア４がメインカムフォロア保持部８ａに第２レンズ保持枠３２の径方向に移動可能に保持されているとともに、コイルバネ８１ｂによって第２レンズ保持枠３２の径方向外側に付勢されている。
【００８３】
又、サブカムフォロア保持部８ｂに設けられた嵌挿孔８３に保持枠用カムフォロア４の嵌挿部４２が嵌挿されることにより、サブカムフォロア保持部７ｂに保持枠用カムフォロア４が保持されている。
【００８４】
そして、保持枠用カムフォロア４を保持した第２レンズ保持枠３２は、図１、図４に示すようにメイン被支持部３２ａのガイド軸嵌挿孔３２ｄに第１ガイド軸１２ａが挿通されるとともに、サブ被支持部３２ｂのガイド軸嵌挿孔３２ｅに第２ガイド軸１２ｂが挿通されるようにして第１ガイド軸１２ａと第２ガイド軸１２ｂとに支持されて、図１に示すようにカム筒２の内周側であって第１レンズ保持枠３１の後方側に軸方向に移動可能に配設されている。
【００８５】
又、その状態で、第２レンズ保持枠３２に保持された保持枠用カムフォロア４は、それぞれ、第２保持枠用カム溝２２に入り込んでいる。
【００８６】
又、この状態で、メインカムフォロア保持部８ａに保持された保持枠用カムフォロア４は、コイルバネ８１ｂの付勢力によって、カム溝係合部４１が第２保持枠用カム溝２２の内側面に押し当てられた状態になっている。一方、サブカムフォロア保持部８ｂに保持された保持枠用カムフォロア４は、カム溝係合部４１が第２保持枠用カム溝２２の内側面に非当接状態になって、カム溝係合部４１と第２保持枠用カム溝２２の内側面との間にクリアランスが形成されている。
【００８７】
又、図５に示すように、第２レンズ保持枠３２のメインカムフォロア保持部８ａは、第１レンズ保持枠３１のサブカムフォロア保持部７ｂと光軸方向に並び、それらに保持された保持枠用カムフォロア４が光軸方向に並んでいる。又、第１レンズ保持枠３１のメインカムフォロア保持部７ａは、第２レンズ保持枠３２のサブカムフォロア保持部８ｂと光軸方向に並び、それらに保持された保持枠用カムフォロア４が光軸方向に並んでいる。
【００８８】
次に、第３レンズ保持枠３３について説明する。この第３レンズ保持枠３３は、第２レンズ保持枠３２に固定的に設けられた２つのフォーカス用ガイド軸３３ａ（図２に図示）に軸方向移動可能に支持されるようにして、図１に示すように第２レンズ保持枠３２の前方側に配設されている。
【００８９】
そして、この第３レンズ保持枠３３は、鏡筒本体１に設けられた駆動用モータ３３ｂ（図２に図示）によって第２レンズ保持枠３２に対して前後方向に移動するようになっている。
【００９０】
次に、第４レンズ保持枠３４〜第７レンズ保持枠３７について説明する。第４レンズ保持枠３４は、図１に示すように鏡筒本体１内における第１レンズ保持枠３１の前方側に、移動不能に配設されている。
【００９１】
第５レンズ保持枠３５〜第７レンズ保持枠３７は、鏡筒本体１内における第２レンズ保持枠３１の後方側に、順次並べられるようにして移動不能に配設されている。
【００９２】
次に、遮光部材５について説明する。この実施形態の遮光部材５は、図１４に示すように遮光部材本体５１と、連結部５５ａ〜５５ｃとを備えている。
【００９３】
遮光部材本体５１は、前端側に配設された円板部５２と、円板部５２の後方側に配設された円筒部５３と、連結部５５ａ〜５５ｃを支持した連結部支持片５４とを備えている。
【００９４】
円板部５２は、その外径が第１レンズ保持枠３１に保持されたレンズ群１００の外径と略同じ大きさに形成されている。そして、この円板部５２は、図１、図５に示すように第１レンズ保持枠３１に保持されたレンズ群１００の前方側に配設されている。
【００９５】
円筒部５３は、内周側に、第１レンズ保持枠３１に保持されたレンズ群１００の前部側が入ることができる程度の大きさに形成されている。
【００９６】
連結部支持片５４は、円筒部５３の周方向に、等間隔に配設された３つを備えている。各連結部支持片５４は、第１レンズ保持枠３１の受容部３１ｊに入り込み可能な幅で、円筒部５３の後端から径方向外側に突出するように形成されている。
【００９７】
連結部は、連結部支持片５４のそれぞれに支持された第１〜第３連結部５５ａ〜５５ｃの３つ（複数）を備えている。各連結部５５ａ〜５５ｃは、矩形板状のものから構成されており、連結部支持片５４の先端から後方側に突設されている。
【００９８】
そして、これらの連結部５５ａ〜５５ｃは、第１レンズ保持枠３１の連結溝３１ｉのそれぞれに、移動可能に嵌挿される。又、これらの３つの内の１つの連結部５５ａと連結溝３１ｉとの嵌挿状態の両者間のクリアランスが、他の２つの連結部５５ｂ、５５ｃと連結溝３１ｉとの嵌挿状態の両者間のクリアランスよりも小さくなるように形成されている。
【００９９】
この実施形態では、３つの連結溝３１ｉは、全て同じ幅Ｌ１０（図８に図示）に形成されている。一方、図１４の上部側の第１連結部５５ａの幅Ｌ９が他の２つの第２連結部５５ｂ及び第３連結部５５ｃの幅Ｌ８よりもやや大きく形成されており、第１連結部５５ａと連結溝３１ｉとの嵌挿状態の両者間のクリアランスが、第２連結部５５ｂと連結溝３１ｉとの嵌挿状態の両者間のクリアランス及び第３連結部５５ｃと連結溝３１ｉとの嵌挿状態の両者間のクリアランスよりも小さくなるように設定されている。
【０１００】
このように構成されることにより、第１連結部５５ａと連結溝３１ｉとによって、確実に、遮光部材５が第１レンズ保持枠３１に対して回転することなく軸方向に移動できる一方、第２連結部５５ｂ及び第３連結部５５ｃと連結溝３１ｉのそれぞれとによって、連結部５５ａ〜５５ｃの全体と連結溝３１ｉとが製作誤差等によって過拘束になるのを抑えることができる。これにより、連結部５５ａ〜５５ｃの全体を連結溝３１ｉに容易に嵌挿して組み付けできるとともに、組み付け後、遮光部材５が第１レンズ保持枠３１に対して円滑に移動できる。
【０１０１】
又、この実施形態では、遮光部材本体５１と連結部５５ａ〜５５ｃとは、合成樹脂により一体成形により同時に形成されている。
【０１０２】
遮光部材用カムフォロア６は、連結部５５ａ〜５５ｃのそれぞれの外面に配設されており、各遮光部材用カムフォロア６は、連結部５５ａ〜５５ｃの外面から径方向外側に突出するように形成されている。
【０１０３】
又、各遮光部材用カムフォロア６は、カム筒２の遮光部材用カム溝２３に入り込んで係合し得るように、径方向外側に行くに従い漸次径小になる略円錐状に形成されている。この実施形態では、遮光部材用カムフォロア６は、遮光部材５と一体成形により同時に形成されている。尚、この実施形態では、各遮光部材用カムフォロア６は、製作し易いように円錐の一部をカットした形状に形成されている。
【０１０４】
次に、以上のように構成されたカム筒２のカム溝に、第１レンズ保持枠３１、第２レンズ保持枠３２及び遮光部材を係合させる場合について説明する。
【０１０５】
まず、図７に示すように、遮光部材５に付設された遮光部材用カムフォロア６を、カム筒２の組み込み用溝２４に開口２４ｃから入れていく。これにより、遮光部材用カムフォロア６は、保持枠用組み込み溝２４ａから遮光部材用組み込み溝２４ｂに入り、更に遮光部材用組み込み溝２４ｂの前端位置（ハッチングで遮光部材用カムフォロア６を示す位置）まで入る。
【０１０６】
次に、第１レンズ保持枠３１のメイン被支持部３１ａに第２ガイド軸１２ｂを、サブ被支持部３１ｂに第１ガイド軸１２ａをそれぞれ挿通させながら、第１レンズ保持枠３１に保持された保持枠用カムフォロア（第１保持枠用カムフォロア）４を、カム筒２の組み込み用溝２４に開口２４ｃから入れていく。
【０１０７】
これにより、保持枠用カムフォロア４は、保持枠用組み込み溝２４ａを前方に向かって入っていき、又、それに伴い第１レンズ保持枠３１の連結溝３１ｉに遮光部材５の連結部５５ａ〜５５ｃが入り込んで両者が連結する。
【０１０８】
そして、図７に示すように保持枠用カムフォロア４が保持枠用組み込み溝２４ａの前端位置（保持枠用カムフォロア４をハッチングで示す位置）までくると、保持枠用カムフォロア４が遮光部材用組み込み溝２４ｂの溝幅よりも径大に形成されているため、保持枠用カムフォロア４は保持枠用組み込み溝２４ａのその前端位置で止まる。
【０１０９】
次に、第２レンズ保持枠３２のメイン被支持部３２ａに第１ガイド軸１２ａを、サブ被支持部３２ｂに第２ガイド軸１２ｂをそれぞれ挿通させながら、第２レンズ保持枠３２に保持された保持枠用カムフォロア（第２保持枠用カムフォロア）４を、カム筒２の組み込み用溝２４に開口２４ｃから入れていく。この状態で、図１２に示すように第２レンズ保持枠３２の第２レンズ保持枠用当接部３２ｈと第１レンズ保持枠３１の第１レンズ保持枠用当接部３１ｈとが対向する。
【０１１０】
そして、保持枠用カムフォロア４が保持枠用組み込み溝２４ａに入っていくと、図１３に示すように第２レンズ保持枠３２の第２レンズ保持枠用当接部３２ｈと第１レンズ保持枠３１の第１レンズ保持枠用当接部３１ｈとが当接する。
【０１１１】
この当接状態で、第２レンズ保持枠３２に保持された保持枠用カムフォロア４は、図７に示すように第２保持枠用カム溝２２の第２カム溝用導入溝２２ｂと前後位置が一致した位置（保持枠用カムフォロア４をハッチングで示す位置）にくる。
【０１１２】
従って、この状態で、遮光部材用カムフォロア６、第１レンズ保持枠３１に保持された保持枠用カムフォロア４、第２レンズ保持枠３２に保持された保持枠用カムフォロア４はそれぞれ、遮光部材用導入溝２３ｂ、第１カム溝用導入溝２１ｂ、第２カム溝用導入溝２２ｂの夫々と周方向に対向した状態になる。
【０１１３】
そして、この状態から、カム筒２を回転させる。これにより、遮光部材用カムフォロア６、第１レンズ保持枠３１に保持された保持枠用カムフォロア４、第２レンズ保持枠３２に保持された保持枠用カムフォロア４はそれぞれ、遮光部材用導入溝２３ｂ、第１カム溝用導入溝２１ｂ、第２カム溝用導入溝２２ｂのそれぞれに入り込ませることができる。
【０１１４】
その際、メインカムフォロア保持部７ａ、８ａに保持された保持枠用カムフォロア４は、コイルバネ７１ｂ、８１ｂの付勢力によって、カム溝係合部４１が第１保持枠用カム溝２１、第２保持枠用カム溝２２の内側面に当接した状態になり、一方、サブカムフォロア保持部７ｂ、８ｂに保持された保持枠用カムフォロア４は、カム溝係合部４１が第１保持枠用カム溝２１、第２保持枠用カム溝２２の内側面に非当接状態になっている。従って、メインカムフォロア保持部７ａ、８ａに保持された保持枠用カムフォロア４は、それぞれ、容易に第２カム溝用導入溝２２ｂに導入される。
【０１１５】
又、第２カム溝用導入溝２２ｂが、幅広部２２ｃを備えているため、第２レンズ保持枠３２に保持された保持枠用カムフォロア４は第２カム溝用導入溝２２ｂと前後位置が多少ずれている場合でも確実に第２カム溝用導入溝２２ｂに導入される。
【０１１６】
更に、カム筒２が回転すると、遮光部材用カムフォロア６、第１レンズ保持枠３１に保持された保持枠用カムフォロア４、第２レンズ保持枠３２に保持された保持枠用カムフォロア４は導入溝２３ｂ、２１ｂ、２２ｂのそれぞれから遮光部材用撮影領域溝２３ａ、第１カム溝用撮影領域溝２１ａ、第２カム溝用撮影領域溝２２ａに入り込ませて係合させることができる（図１５参照）。
【０１１７】
この場合においても、第２カム溝用導入溝２２ｂが、テーパー部２２ｄとを備えているため、第２レンズ保持枠３２に保持された保持枠用カムフォロア４を、幅広部２２ｃから第２カム溝用撮影領域溝２２ａに円滑に入れることができる。
【０１１８】
次に、本発明のレンズ鏡筒１０の動作について説明する。例えば図１５に示す状態から、カム操作環１５が回転操作されると、カム筒２が回転する。その回転に伴い、遮光部材用カムフォロア６、第１レンズ保持枠３１に保持された保持枠用カムフォロア４、第２レンズ保持枠３２に保持された保持枠用カムフォロア４はそれぞれ、遮光部材用撮影領域溝２３ａ、第１カム溝用撮影領域溝２１ａ、第２カム溝用撮影領域溝２２ａのそれぞれに沿って前方側に相対移動する。
【０１１９】
その際、メインカムフォロア保持部７ａ、８ａに保持された保持枠用カムフォロア４のカム溝係合部４１が第１保持枠用カム溝２１、第２保持枠用カム溝２２の内側面に押し当てられた状態になる一方、サブカムフォロア保持部７ｂ、８ｂに保持された保持枠用カムフォロア４のカム溝係合部４１が第１保持枠用カム溝２１、第２保持枠用カム溝２２の内側面に非当接状態になっており、円滑に相対移動する。
【０１２０】
そして、相対移動に際して、遮光部材５、第１レンズ保持枠３１及び第２レンズ保持枠３２のそれぞれが、図１６に示すように前方側に移動する。又、その際、遮光部材用撮影領域溝２３ａと第１カム溝用撮影領域溝２１ａとの軸方向の距離に応じ、遮光部材５が遮光部材用撮影領域溝２３ａの中間部位置で第１レンズ保持枠３１との軸方向の距離Ｌ１１が最大になり、端部位置（テレ位置、ワイド位置）に行くに従い両者の軸方向の距離Ｌ１２、Ｌ１３が漸次小さくなるように形成されている。
【０１２１】
より詳しくは、図１７に示すように遮光部材５の移動軌跡５ｐは、第１レンズ保持枠３１の移動軌跡３１ｐに対し、テレ位置から互いの距離が漸次大きくなり、中間位置で互いの距離Ｌ１１がテレ位置での互いの距離Ｌ１３よりも大きくなる。又、その中間位置からワイド位置にかけて互いの距離が漸次小さくなってワイド位置で互いの距離Ｌ１２は中間位置での距離Ｌ１１より小さくなる。尚、この実施形態の第２レンズ保持枠３２は、図１７に示すように第１レンズ保持枠３１の移動軌跡３１ｐと異なる移動軌跡３２ｐを描きながら移動する。
【０１２２】
よって、遮光部材５が遮光部材用撮影領域溝２３ａの中間部で、第１レンズ保持枠３１に保持されたレンズ群１００に入る余分な光を遮ることができ、レンズ群１００に入る光束を調整できる。これにより、第１レンズ保持枠３１に保持されたレンズ群１００の動き（位置）に応じてフレアーを除去して鮮明な結像を得ることができる。
【０１２３】
又、その際、第１連結部５５ａと連結溝３１ｉとによって、確実に、遮光部材５が第１レンズ保持枠３１に対して回転することなく軸方向に円滑に移動できる一方、第２連結部５５ｂ及び第３連結部５５ｃと連結溝３１ｉのそれぞれとによって、連結部５５ａ〜５５ｃの全体と連結溝３１ｉとが製作誤差等によって過拘束になることなく、遮光部材５が第１レンズ保持枠３１に対して円滑に移動できる。
【０１２４】
更に、カム操作環１５が回転操作されてカム筒２が回転すると、その回転に伴い、更に、遮光部材用カムフォロア６、第１レンズ保持枠３１に保持された保持枠用カムフォロア４、第２レンズ保持枠３２に保持された保持枠用カムフォロア４はそれぞれ、遮光部材用撮影領域溝２３ａ、第１カム溝用撮影領域溝２１ａ、第２カム溝用撮影領域溝２２ａのそれぞれに沿って、前方側に相対移動する。
【０１２５】
そして、相対移動に際して、遮光部材５、第１レンズ保持枠３１及び第２レンズ保持枠３２のそれぞれが前方側に移動して、図１に示す状態になる。
【０１２６】
尚、上記実施形態では、３つの連結溝３１ｉの全てを同じ幅に形成し、第１連結部５５ａの幅を他の２つの第２連結部５５ｂ及び第３連結部５５ｃの幅よりもやや大きく形成したが、この形態のものに限らず、適宜変更できる。
【０１２７】
例えば第１連結部５５ａ〜第３連結部５５ｃの幅を同じにし、３つの連結溝３１ｉのうちの１つの溝幅を他の２つよりも溝幅よりも小さくして、１つの連結部と連結溝との嵌挿状態の両者間のクリアランスが、他の２つの連結部と連結溝との嵌挿状態の両者間のクリアランスよりも小さくなるようにしてもよい。
【符号の説明】
【０１２８】
１    鏡筒本体
２    カム筒
４    保持枠カムフォロア
５    遮光部材
６    遮光部材用カムフォロア
７ａ、８ａ    メインカムフォロア保持部
７ｂ、８ｂ    サブカムフォロア保持部
１１    固定筒
１２ａ    第１ガイド軸
１２ｂ    第２ガイド軸
２１    第１保持枠用カム溝
２１ａ    第１カム溝用撮影領域溝
２１ｂ    第１カム溝用導入溝
２２    第２保持枠用カム溝
２２ａ    第２カム溝用撮影領域溝
２２ｂ    第２カム溝用導入溝
２３    遮光部材用カム溝
２４    組み付け用溝
３１    第１レンズ保持枠
３２    第２レンズ保持枠
【図２】
2014048451.tif 000003
【図３】
2014048451.tif 000004
【図４】
2014048451.tif 000005
【図５】
2014048451.tif 000006
【図６】
2014048451.tif 000007
【図７】
2014048451.tif 000008
【図８】
2014048451.tif 000009
【図９】
2014048451.tif 000010
【図１０】
2014048451.tif 000011
【図１１】
2014048451.tif 000012
【図１２】
2014048451.tif 000013
【図１３】
2014048451.tif 000014
【図１４】
2014048451.tif 000015
【図１７】
2014048451.tif 000016
【図１】
2014048451.tif 000017
【図１５】
2014048451.tif 000018
【図１６】
2014048451.tif 000019